(57)【要約】      （修正有）【課題】使用者により容易に調整可能なレーザーアセンブリを提供する。【解決手段】切断鋸は、ベースアセンブリ１０と、上部位置と下部位置との間における動きのためにベースアセンブリに旋回可能に取り付けられる鋸アセンブリ２０とを具備し、鋸アセンブリは、モータと、モータにより駆動される刃２３と、刃の上部をカバーする上部刃ガードと、鋸アセンブリに配設されるレーザーアセンブリ３０とを具備する。レーザーアセンブリは、鋸アセンブリに取り付けられたハウジング１２と、ハウジングにより支持されるレール１４と、レールに滑動するように配設される本体と、本体に旋回可能に取り付けられるホルダーと、レーザービームを第１の経路に沿って発するために本体に旋回するように配設される、レーザーダイオードと、ベースアセンブリに向かって投影されるレーザー平面にレーザービームを変換するために第１の経路に配設されるラインレンズとを具備する。【選択図】図１
2006289982.tif 000002
【特許請求の範囲】
【請求項１】
ベースアセンブリと、
上部位置と下部位置との間における動きのために前記ベースアセンブリに旋回可能に取り付けられる、鋸アセンブリであって、モータと、前記モータにより駆動される刃と、前記刃の上部をカバーする上部刃ガードとを具備する、鋸アセンブリと、
前記鋸アセンブリに配設されるレーザーアセンブリと、
を具備する切断鋸において、
前記レーザーアセンブリは、
前記鋸アセンブリに取り付けられたハウジングと、
前記ハウジングにより支持される少なくとも１つのレールと、
前記少なくとも１つのレールに滑動するように配設される本体と、
前記本体に旋回可能に取り付けられるホルダーと、
レーザービームを第１の経路に沿って発するために、前記本体に旋回するように配設される、レーザーダイオードと、
前記ベースアセンブリに向かって投影されるレーザー平面に前記レーザービームを変換するために、前記第１の経路に配設される、ラインレンズと、
を具備することを特徴とする切断鋸。
【請求項２】
前記本体は、ネジを回すことにより、前記少なくとも１つのレールに沿って滑動可能であることを特徴とする請求項１に記載の切断鋸。
【請求項３】
前記ホルダーは、ネジを回すことにより、前記本体に対して回転可能であることを特徴とする請求項１に記載の切断鋸。
【請求項４】
前記レーザーアセンブリは、前記ホルダーに回転可能に取り付けられたバレルを更に具備することを特徴とする請求項１に記載の切断鋸。
【請求項５】
前記バレルは、ネジを回すことにより、前記ホルダーに対して回転可能であることを特徴とする請求項４に記載の切断鋸。
【請求項６】
ベースアセンブリと、
上部位置と下部位置との間における動きのために前記ベースアセンブリに旋回可能に取り付けられる、鋸アセンブリであって、モータと、前記モータにより駆動される刃と、前記刃の上部をカバーする上部刃ガードとを具備する、鋸アセンブリと、
前記鋸アセンブリに配設されるレーザーアセンブリと、
を具備する、切断鋸において、
前記レーザーアセンブリは、
前記鋸アセンブリに取り付けられたハウジングと、
レーザービームを第１の経路に沿って発するために、前記ハウジングにより支持される、レーザーダイオードと、
前記ベースアセンブリに向かって投影されるレーザー平面に前記レーザービームを変換するために、前記第１の経路に配設される、ラインレンズと、
を具備しており、
前記レーザー平面は前記刃に比べてより幅広いことを特徴とする切断鋸。
【請求項７】
前記レーザービームは、前記刃の左側及び右側を通過して動くことを特徴とする請求項６に記載の切断鋸。
【請求項８】
影が、前記レーザービームに隣接して且つ前記刃の下に形成されることを特徴とする
請求項６に記載の切断鋸。
【請求項９】
ベースアセンブリと、
上部位置と下部位置との間における動きのために前記ベースアセンブリに旋回可能に取り付けられる、鋸アセンブリと、
を具備しており、
前記鋸アセンブリは、
モータと、
前記モータにより駆動される刃と、
前記刃の上部をカバーする上部刃ガードと、
前記刃の下部をカバーしていて且つ第１の旋回地点において前記上部刃ガードに旋回するように取り付けられる、下部刃ガードと、
前記下部刃ガードにおいて、前記第１の旋回地点に比べて、より低い地点に配設される、ボスと、
一方の端部において前記ベースアセンブリに旋回するように取り付けられていて且つ別の端部において前記ボスに接触する、リンクと、
を具備することを特徴とする切断鋸。
【請求項１０】
前記ボスは前記リンクのスロットを通り伸張することを特徴とする請求項９に記載の切断鋸。
【請求項１１】
ベースアセンブリと、
上部位置と下部位置との間における動きのために前記ベースアセンブリに旋回可能に取り付けられる、鋸アセンブリと、
を具備しており、
前記鋸アセンブリは、
モータと、
前記モータにより駆動される刃と、
前記刃の上部をカバーする上部刃ガードと、
前記刃の下部をカバーしていて且つ前記上部刃ガードに旋回するように取り付けられる、下部刃ガードと、
を具備しており、
前記下部刃ガードは、そこを通る工作物を受容可能である、少なくとも２つの歯を有することを特徴とする切断鋸。
【請求項１２】
前記２つの歯はそこにカム表面を有することを特徴とする請求項１１に記載の切断鋸。
【請求項１３】
切断鋸において照明アセンブリを搭載するための方法において、この方法が、
ベースアセンブリと、上部位置と下部位置との間における動きのために前記ベースアセンブリに旋回可能に取り付けられる、鋸アセンブリとを具備する、切断鋸を提供する手順であって、前記鋸アセンブリが、モータと、前記モータにより駆動される刃と、前記刃の上部をカバーする上部刃ガードと、前記上部位置と前記下部位置との間において前記鋸アセンブリを旋回するためのハンドルとを具備する、切断鋸を提供する手順と、
前記ハンドル内に配設されるコネクタに動力供給部を接続する手順と、
前記動力供給部を前記ハンドルに配設する手順と、
前記上部刃ガードに配設されるコネクタに、前記照明アセンブリを接続する手順と、
前記照明アセンブリを前記上部刃ガードに配設する手順と、
を具備する方法。
【請求項１４】
前記照明アセンブリの配設は、ハウジングを前記上部刃アセンブリから取り外した後に、実施されることを特徴とする請求項１３に記載の方法。
【請求項１５】
前記動力供給部の配設は、カバーを前記ハンドルから取り外した後に、実施されることを特徴とする請求項１３に記載の方法。
【請求項１６】
前記照明アセンブリは発光ダイオードを具備することを特徴とする請求項１３に記載の方法。
【請求項１７】
前記発光ダイオードは、実質的に白色光を発することを特徴とする請求項１６に記載の方法。
【請求項１８】
前記照明アセンブリはレーザーダイオードを具備することを特徴とする請求項１３に記載の方法。
【発明の詳細な説明】
【技術分野】
【０００１】
本発明は一般的に、切断鋸（チョップソー）に係り、より特別には切断鋸のためのガード（保護）アセンブリ及びレーザーアセンブリに関する。
【背景技術】
【０００２】
米国特許第5,285,708号及び第5,375,495号等の最近の特許、及び米国特許出願公報US 2003/0233921 A1等の出願は、切断鋸及び／又はミッター（miter）鋸のための光学的整列システム（装置）を開示する。その様な光学的整列システムは一般的に、工作物に線（ライン）を投影して、刃（ブレード）の１つの側部が工作物に入る位置であって工作物の切断を促進することを意図する位置を指示する、レーザー発生器を利用する。
【０００３】
使用者により容易に調整可能なレーザーアセンブリを提供することが好ましい。
【発明の開示】
【発明が解決しようとする課題】
【０００４】
本発明に従がい、使用者により容易に調整可能なレーザーアセンブリを有する、改善された切断鋸が使用される。
【課題を解決するための手段】
【０００５】
切断鋸が、ベースアセンブリと、上部位置と下部位置との間における動きのためにベースアセンブリに旋回可能に取り付けられる、鋸アセンブリとを有しており、鋸アセンブリは、モータと、モータにより駆動される刃と、刃の上部をカバーする上部刃ガードと、鋸アセンブリに配設されるレーザーアセンブリとを具備する。レーザーアセンブリは、鋸アセンブリに取り付けられたハウジングと、ハウジングにより支持される少なくとも１つのレールと、少なくとも１つのレールに滑動するように配設される本体と、本体に旋回可能に取り付けられるホルダーと、レーザービームを第１の経路に沿って発するために本体に旋回するように配設される、レーザーダイオードと、ベースアセンブリに向かって投影されるレーザー平面にレーザービームを変換するために第１の経路に配設される、ラインレンズとを具備することが好ましい。
【０００６】
本発明の別の形態において、切断鋸は、ベースアセンブリと、上部位置と下部位置との間における動きのためにベースアセンブリに旋回可能に取り付けられる、鋸アセンブリとを具備しており、鋸アセンブリは、モータと、モータにより駆動される刃と、刃の上部をカバーする上部刃ガードと、刃の下部をカバーするために、上部刃ガードに旋回するように取り付けられる、下部刃ガードと、ベースアセンブリに旋回するように取り付けられる、リンクとを具備する。
【０００７】
本発明のこれとは別の形態及び利点は、添付の図面及び下記の詳細な説明により、明確に説明される。
添付する図面は、本発明の原理の実践的な適用例に従がう、本発明の好適な実施の形態を図解する。
【発明を実施するための最良の形態】
【０００８】
以下、添付の図面を参照して本発明は説明されるが、図面において、同様な番号は同様な部分を指示する。本発明は、図１に示す鋸１００等の、切断鋸（チョップソー）、ミッター（miter）鋸及び／又は滑動式ミッター鋸に適用可能である。鋸１００は、ベース（基部）アセンブリ１０と、前記ベース１０により旋回可能に支持される鋸アセンブリ２０とを具備しても良い。鋸アセンブリ２０は、ベースアセンブリ１０に配設された工作物を切断するために、上部位置から下部位置へ移動させられても良い。
【０００９】
ベースアセンブリ１０は、ベース１０により回転可能に支持されるテーブルアセンブリ１１を具備しても良い。ベースアセンブリ１０はまた、鋸アセンブリ２０の傾斜角度を変更するために、テーブルアセンブリ１１に旋回可能に取り付けられるハウジング１２を具備しても良い。
【００１０】
ハウジング１２は、上部位置と下部位置との間で鋸アセンブリ２０を動かすために、鋸アセンブリ２０に接続する、トラニオン（耳軸）１３を支持しても良い。これとは別に、トラニオン１３は、ハウジング１２に滑動するように接続する少なくとも１つのレール１４に配設されても良い。
【００１１】
鋸アセンブリ２０は、トラニオン１３に旋回可能に取り付けられていて且つ旋回軸線１３Ｐの周りを回転する、旋回可能なアーム（腕）２２と、刃（ブレード）２３を駆動するためのモータ２４とを具備しても良い。アーム２２はまた、刃２３の上部部分をカバーする、上部刃ガード（保護部）２７を支持しても良い。下部刃ガード（保護部）２５は、旋回軸線２５Ｐにおいて上部刃ガード（保護部）２７に旋回可能に取り付けられることが好ましい。当業者は、モータ２４がアーム２２及び／又は上部刃ガード２７により支持されても良いことを認識する。
【００１２】
上部位置と下部位置との間で鋸アセンブリ２０を動かす場合に、下部刃ガード２５を移動して、刃２３を暴露するための機構を設けることが好ましい。図１を参照すると、リンク２８は、一方の端部２８Ｐにおいて、トラニオン１３に旋回可能に取り付けられるか又は、テーブルアセンブリ１１、ハウジング１２及び／又はレール１４を含む、ベースアセンブリ１０の任意の別の部分に旋回可能に取り付けられても良い。端部２８Ｐは、旋回軸線１３Ｐの下にあることが好ましい。
【００１３】
リンク２８は、下部刃ガード２５及び／又はリンク２８に配設されたボス２６を介して下部刃ガード２５に旋回可能に取り付けられても良い。ボス２６は、旋回軸線２５Ｐの下にあることが好ましい。端部２８Ｐ、ボス２６及び旋回軸線２３Ｐ，１３Ｐの間のその様な幾何学的配置により、リンクが下部刃ガード２５を引っ張る一般的な配置とは異なり、鋸アセンブリ２０が下部位置に向かって動かされる場合に、リンク２８は、下部刃ガード２５を上方向に押す。
【００１４】
リンク２８は、ボス２６がそれに沿って滑る、スロット（長穴）２８Ｓを有しても良いことが好ましく、使用者が、鋸アセンブリ２０を下部位置に動かすことなしで、下部刃ガード２５を動かすことを可能にすることが好ましく、従って刃２３を暴露し、使用者が刃２３を交換することを可能にすることが好ましい。
【００１５】
当業者は、引っ張るよりむしろ押すリンク２８と、下部刃ガード２５とを具備して刃２３を暴露することは、モータ２４が上部刃ガード２７に、より接近して配設されることを可能にしても良いことを認識する。これは順に、より小型でよりコンパクトな鋸１００を提供する。
【００１６】
図１〜２を参照すると、下部刃ガード２５は、それに旋回可能に取り付けられた従来技術において公知なホイール（車輪）２５Ｗを有しても良い。下部刃ガード２５はまた、その間に空間を形成する歯２５Ｔを有しても良い。その様な歯２５Ｔは、小型工作物Ｗ１が、下部刃ガード２５において捕獲されることなしで、滑動動作において切断されることを可能にしても良い。言い換えれば、使用者は、工作物Ｗ１をテーブルアセンブリ１１上に配設しても良く、更に鋸アセンブリ２０を下部位置に向かって前方で下方向に（下部刃ガード２５がテーブルアセンブリ１１に接触するまで）動かしても良い。使用者はその後、鋸アセンブリ２０を後方に動かして、工作物Ｗ１が歯２５Ｔの間の空間において移動できるので、それが下部刃ガード２５において捕獲されることなしで、工作物Ｗ１を切断可能である（たとえ下部刃ガード２５がテーブルアセンブリ１１に接触したとしても）。
【００１７】
下部刃ガード２５はまた、テーブルアセンブリ１１に接触するエッジ（角部）に沿って内側カム表面２５Ｃを有しても良い。その様なカム表面２５Ｃは、鋸アセンブリ２０が後方向に動かされると、下部刃ガード２５を持ち上げて、再度、工作物（例えば、Ｗ２等）が下部刃ガード２５において捕獲されることを防止する。
【００１８】
上記したように、本明細書で資料として全て引用される、米国特許第5,285,708号と第5,375,495号、及び米国特許出願公報US2003/0233921A1は、ベースアセンブリ１０上に配設された工作物の刃による切断場所を指示するために、切断鋸においてレーザーアセンブリを設けるという要求を暗示する。しかし、その様なレーザーアセンブリは、全ての使用者により要望されない可能性もある。従って、レーザーアセンブリなしで製造及び販売可能で、使用者により容易に改良可能である、鋸を提供することが望まれる。
【００１９】
図１と図３Ａ及び図３Ｂを参照すると、ハンドルアセンブリ２９が、鋸アセンブリ２０（及び好適には、上部刃ガード２７）に取り付けられても良い。図３Ａは、レーザーアセンブリ３０なしの鋸アセンブリ２０を図示する。カバー２７Ｃは、レーザーアセンブリ３０が設置される、上部刃ガード２７に配設されることが好ましい。カバー２７Ｃは、上部刃ガード２７にネジ係合する、ネジにより所定位置に保持されても良い。加えて、ハンドルアセンブリ２９は、区画カバー２９ＣＣによりカバーされる区画２９Ｃ（図３Ｂ参照）を有しても良い。
【００２０】
レーザーアセンブリ３０を設置するために、図３Ｂに示すように使用者は、区画カバー２９ＣＣ及び／又はカバー２７Ｃを取り外すことが好ましい。その様な作業は、上部刃ガード２７における開口２７Ｏ及び区画２９Ｃを暴露させる。
【００２１】
使用者はその後、動力供給アセンブリ４０を区画２９Ｃ内に設置することが好ましい。動力供給アセンブリ４０は、ハウジング４１と、レーザーアセンブリをオン・オフ切換するためのスイッチ４２と、120ＶＡＣの主電圧を受けてレーザーアセンブリ３０により使用可能な電圧にそれを変換する、電力供給等を（もし必要ならば）含む、レーザーアセンブリ３０駆動のための必要な電子機器と、を有しても良い。
【００２２】
ハンドルアセンブリ２９は、120ＶＡＣの主電圧等の入力電力を電力供給アセンブリ４０に供給するために、電力供給アセンブリ４０に迅速に接続する、入力コネクタ（接続部）４３Ｉを含むことが好ましい。ハンドルアセンブリ２９はまた、出力電力をレーザーアセンブリ３０に伝送するために、電力供給アセンブリ４０に迅速に接続する、出力コネクタ（接続部）４３Ｏを含んでも良い。当業者は、使用者がコネクタ４３Ｉ、４３Ｏを電力供給アセンブリ４０に接続し、その後ハウジング４１をハンドルアセンブリ２９及び／又は区画２９Ｃに取り付けるか又はボルト締めすることが好ましいことを認識する。
【００２３】
図３から４に示すように、コネクタ４３Ｏは、レーザーアセンブリ３０に接続することが好ましい、コネクタ４４に接続することが好ましい。カバー４５は、コネクタ４３Ｏ、４４の間で伸張する、ワイア（電線）を所定位置に隠し及び／又は保持することが好ましい。
【００２４】
使用者は、コネクタ４４をレーザーアセンブリ３０に素早く接続し、レーザーアセンブリ３０を上部刃ガード２７に配設することが好ましい。レーザーアセンブリ３０は上部刃ガード２７にネジを介して取り付けられることが好ましい。
【００２５】
当業者は、レーザーアセンブリ３０が、アーム２２又はモータ２４のハウジング等の、鋸アセンブリ２０の別の部分に配設されても良いことを認識する。レーザーアセンブリ２０に関する検討の目的で、ハウジング１２、トラニオン１３及び／又はレール１４はまた、鋸アセンブリ２０の部分として考えられても良い。
【００２６】
図３及び５から７を参照すると、レーザーアセンブリ３０は、ハウジング３１を具備しても良い。少なくとも１つのピン又はレール３２が、ハウジング３１から突き出ても良い。本体３３は、レール３２上に滑動するように配設されても良い。バネ３３Ｓは、本体３３とレール３２との間に配設されて、その間で任意の遊びを吸収することが好ましい。
【００２７】
ハウジング３１を通り伸張するネジ３４は、本体３３において突起３３Ｐによりネジ係合させられても良い。バネ３４Ｓは、ハウジング３１及び突起３３Ｐ間に配設されることが好ましい。当業者は、ネジ３４がハウジング３１にネジ係合させられて、突起３３Ｐにより捕獲される配置、例えば、本明細書で参考文献として組み込まれる、米国特許第6,688,203号に開示されるような配置が同等な配置であることを認識する。いずれかの配置により、ネジ３４の回転は、本体３３の側部から側部への動きを生じる。
【００２８】
レーザーダイオードアセンブリ３６を保持するためのホルダー３５は、本体３３に旋回可能に取り付けられても良い。ホルダー３５はプラスチック製であることが好ましい。本体３３は、ホルダー３５のヒンジ部３５Ｈを捕獲する突起３３Ｈを有して、ホルダー３５をその周りで回転可能にしても良い。ネジ３５Ｓは、本体３３にネジで係合させられて、ホルダー３５に接触して、ホルダー３５を、例えば、下方向等の一つの方向において旋回させても良い。バネ３５Ｂは、本体３３とホルダー３５との間に具備されて、ホルダー３５を、例えば上方向等のもう一方の方向において付勢しても良い。従って、ネジ３５Ｓの回転は、ホルダー３５の旋回運動を生じる。
【００２９】
回転バレル（円筒体）３７は、レーザーダイオードアセンブリ３６に固定されるように取り付けられても良い。バレル３７は突起３７Ｐを有しても良い。ネジ３８Ｓは、突起３７Ｐにおけるスロット（長穴）３７Ｓを通り伸張して、本体３３のボス３３Ｂにネジ係合しても良い。バネ３８Ｂは、ボス３３Ｂと突起３７Ｐとの間に配設されても良い。従って、ネジ３８Ｓの回転は、レーザーダイオードアセンブリ３６の回転運動を、それ（レーザーダイオードアセンブリ３６）の長手方向の軸線周りにおいて生じる。
【００３０】
当業者は、レーザーアセンブリ３０が、上部刃ガード２７がハウジング３１を構成する、上部刃ガード２７に直接的に配設されても良いことを認識するはずである。
【００３１】
図８Ａ及び８Ｂを参照すると、レーザーダイオードアセンブリ３６は、光ビーム（線）ＬＢを発するためのレーザーダイオード３６Ｄと、光ビームＬＢを光平面ＬＰに変換するためのラインレンズ３６Ｌとを有することが好ましく、光平面ＬＰは、光平面ＬＰがテーブルアセンブリ１１及び／又は工作物と交差する場合に、光ライン（線）を形成する。レーザーダイオードアセンブリ３６は、レーザーダイオード３６Ｄとラインレンズ３６Ｌとの間に配設された（図示されない）コリメータ（平行光線生成）レンズを具備しても良い。
【００３２】
図８Ａに示されるように、光平面ＬＰは、刃２３に比べてより幅広くても良いので、光平面ＬＰは、刃２３の両側部を越えて移動し、光で照らされた部分ＬＰＬ間に影ＬＰＳを形成する。これとは別に、光平面ＬＰは、刃２３の一方の側だけを通過して移動して、刃の位置を指示可能な光ラインＬＰＬを形成しても良い。
【００３３】
いずれにしても、レーザーダイオードアセンブリを調整して、影ＬＰＳが光で照らされる２つの部分ＬＰＬ間にあるか又は、光ラインＬＰＬが刃２３と実質的に同一平面にあることを確保することが望まれる。図５〜７を参照すると、使用者は、ネジ３８Ｓを回すことにより（従って、レーザーダイオードアセンブリ３６をその長手方向の軸線周りで回転させる）、光ラインＬＰＬが刃２３の切断ライン、即ち刃２３により形成された切断ラインに平行であることを確保する。使用者はまた、光平面ＬＰが、刃２３に対して傾かされるよりむしろ、刃２３の平面に平行であることを確保するために、ネジ３５Ｓを回す（従って、ホルダー３５を回転させる）。最終的に、使用者は、ネジ３４を回して（従って、本体３３を側部から側部へ動かして）、刃２３が光平面ＬＰの幅の内側にあること（図８Ａの実施の形態に関して）か又は、光平面ＬＰが刃２３の次にあること（図８Ｂの実施の形態に関して）を確保する。
【００３４】
これとは別の実施の形態が図９に示されており、そこでは、光アセンブリ３０’は、レーザーアセンブリ３０と同じ状態で設置されることが好ましい。それの設置状態を含めて、レーザーアセンブリ３０に関する開示の全ては、本記載において参考として組み込まれてる。同様な番号は同様な部分を参照する。
【００３５】
光アセンブリ３０’は、少なくとも１つの発光ダイオード３９を有することが好ましい。その様なダイオード３９は、実質的に白色光を発することが好ましい。反射器３９Ｒは、ダーオード３９の周囲に配設されて、ダイオード３９により発せられた光を反射しても良い。ダイオード３９及び／又は反射器３９Ｒはハウジング３１により支持されても良い。
【００３６】
当業者は、ダイオード３９により発せられた光が、刃２３の両側を通過して、光で照らされた部分ＬＰＬ間に影ＬＰＳを形成することが好ましいことを認識する。ダイオード３９により発せられたより幅広い光線により、レーザーアセンブリ３０において具備されたような調整手段を設けることが必要ではなくても良い。
【００３７】
前に述べたように、下部刃ガード２５は、スロット（長穴）２５Ｓを有することが好ましい。その様なスロット２５Ｓにより、光平面ＬＰはそこを通り伸張することが可能になる。このことは、鋸アセンブリ２０が上部位置にある場合でさえも、光ラインがテーブルアセンブリ１１及び／又は工作物に形成されることを可能にする。当業者は、もし下部刃ガード２５が完全に透明ではないか又は不透明である場合に、テーブルアセンブリ１１及び／又は工作物に形成された光ラインが壊されて示されることを認識する。その様なラインはしかし、鋸アセンブリ２０が下部位置に向かって移動させられると、鮮明になり、下部刃ガードは移動し、刃２３を暴露する。その様な配置は、本明細書で参考文献として組み込まれる、米国特許第6,755,107号に開示されている。当業者はまた、下部刃ガード２５が完全に透明であっても良く、下部刃ガード２５の位置に係らず、実質的にしっかりした光ラインを形成しても良いことを認識するはずである。
【００３８】
当業者はまた、本明細書で参考文献として組み込まれる、米国特許第5,199,343号に開示されるように、使用者が刃２３を見えることを可能にするために、下部刃ガード２５がその周囲の全体を通るスロット２５Ｓを具備しても良いことを認識する。
【００３９】
当業者は、本明細書で開示される手段に対する別の追加形態又は代替形態を認識しても良い。しかし、全てのこれらの追加形態及び／又は代替形態は、本発明と同等であると考えられる。
【図面の簡単な説明】
【００４０】
【図１】図１は、本発明に従がう切断鋸（チョップソー）の側面図である。
【図２】図２は、図１の線II−IIに沿う正面図である。
【図３Ａ】図３Ａは、本発明に従がうレーザーアセンブリの設置方法を示し、その方法における１つの段階を示す。
【図３Ｂ】図３Ｂは、本発明に従がうレーザーアセンブリの設置方法を示し、その方法における別の段階を示す。
【図３Ｃ】図３Ｃは、本発明に従がうレーザーアセンブリの設置方法を示し、その方法における更に別の段階を示す。
【図４】図４は、図３のレーザーアセンブリの設置の前の鋸アセンブリの部分側面図である。
【図５】図５は、図３のレーザーアセンブリの後面図である。
【図６Ａ】図６Ａは、図３のレーザーアセンブリの部分正面図であり、レーザーアセンブリがカイテバレルを有さない状態を示す。
【図６Ｂ】図６Ｂは、図３のレーザーアセンブリの部分正面図であり、レーザーアセンブリが回転バレルを有する状態を示す。
【図７】図７は、図３のレーザーアセンブリの立体図である。
【図８Ａ】図８Ａは、工作物上の可能なレーザー突起を示す。
【図８Ｂ】図８Ｂは、工作物上の可能な別のレーザー突起を示す。
【図９】図９は、別の実施の形態の部分側面図である。
【符号の説明】
【００４１】
１０    ベースアセンブリ
１１    テーブルアセンブリ
１２    ハウジング
１３    トラニオン
１４    レール
２０    鋸アセンブリ
２２    アーム
２３    刃
２４    モータ
２５    下刃ガード
２６    ボス
２７    上刃ガード
２８    リンク
２８Ｓ    スロット
２９    ハンドルアセンブリ
３０    レーザーアセンブリ
１００    鋸
【図１】
2006289982.tif 000003
【図２】
2006289982.tif 000004
【図３Ａ】
2006289982.tif 000005
【図３Ｂ】
2006289982.tif 000006
【図３Ｃ】
2006289982.tif 000007
【図４】
2006289982.tif 000008
【図５】
2006289982.tif 000009
【図６Ａ】
2006289982.tif 000010
【図６Ｂ】
2006289982.tif 000011
【図７】
2006289982.tif 000012
【図８Ａ】
2006289982.tif 000013
【図８Ｂ】
2006289982.tif 000014
【図９】
2006289982.tif 000015
【手続補正書】
【提出日】平成18年7月12日(2006.7.12)
【手続補正１】
【補正対象書類名】図面
【補正対象項目名】全図
【補正方法】変更
【補正の内容】
【図１】
2006289982.tif 000016
【図２】
2006289982.tif 000017
【図３Ａ】
2006289982.tif 000018
【図３Ｂ】
2006289982.tif 000019
【図３Ｃ】
2006289982.tif 000020
【図４】
2006289982.tif 000021
【図５】
2006289982.tif 000022
【図６Ａ】
2006289982.tif 000023
【図６Ｂ】
2006289982.tif 000024
【図７】
2006289982.tif 000025
【図８Ａ】
2006289982.tif 000026
【図８Ｂ】
2006289982.tif 000027
【図９】
2006289982.tif 000028
【外国語明細書】
2006289982000001.pdf